(57)【要約】【課題】比較的大型のブレードカッターでも容易に梱包することができる梱包材を提供する。【解決手段】本発明の梱包材１０は、ブレードカッター２の片側半円部を収容する袋状の第一の収容体１２と、ブレードカッター２の他側半円部を収容する袋状の第二の収容体１４と、第一の収容体１２にブレードカッター２の片側半円部を収容し第二の収容体１４にブレードカッター２の他側半円部を収容して閉塞した状態で、第一の収容体１２と第二の収容体１４とを締結する締結体１６とを備える。【選択図】図３
2018027810.tif 000002
【特許請求の範囲】
【請求項１】
円盤状の基板と、該基板の外周に形成された切り刃とを備える円形のブレードカッターを梱包するための梱包材であって、
ブレードカッターの片側半円部を収容する袋状の第一の収容体と、ブレードカッターの他側半円部を収容する袋状の第二の収容体と、該第一の収容体にブレードカッターの片側半円部を収容し該第二の収容体にブレードカッターの他側半円部を収容して閉塞した状態で、該第一の収容体と該第二の収容体とを締結する締結体とを備える梱包材。
【請求項２】
該第一の収容体と該第二の収容体はダンボールで構成される請求項１記載の梱包材。
【請求項３】
該締結体は、該第一の収容体と該第二の収容体とに巻掛ける締結バンド、又は該第一の収容体と該第二の収容体との閉塞部に貼着する締結テープである請求項１記載の梱包材。
【発明の詳細な説明】
【技術分野】
【０００１】
本発明は、道路、鉄骨、コンクリート等を切断するブレードカッターを梱包するための梱包材に関する。
【背景技術】
【０００２】
道路、鉄骨、コンクリート等を切断するブレードカッターは、駆動機の回転軸に装着されて使用される。ブレードカッターは、中央に装着口が形成された円盤状の基板と、基板の外周に形成された切り刃とから構成されていて、直径が１０ｃｍ〜１００ｃｍと用途に応じて直径が異なっている。また、ブレードカッターをメーカーから販売店又はユーザーに納品する際に切り刃が損傷しないようにブレードカッターは梱包材によって梱包される（たとえば特許文献１参照。）。
【先行技術文献】
【特許文献】
【０００３】
【特許文献１】実公平７−５４１４７号公報
【発明の概要】
【発明が解決しようとする課題】
【０００４】
しかし、比較的大型（たとえば直径８０ｃｍ以上）のブレードカッターを梱包する場合は梱包に時間がかかり生産性が悪いという問題がある。
【０００５】
上記事実に鑑みてなされた本発明の課題は、比較的大型のブレードカッターでも容易に梱包することができる梱包材を提供することである。
【課題を解決するための手段】
【０００６】
上記課題を解決するために本発明が提供するのは以下の梱包材である。すなわち、円盤状の基板と、該基板の外周に形成された切り刃とを備える円形のブレードカッターを梱包するための梱包材であって、ブレードカッターの片側半円部を収容する袋状の第一の収容体と、ブレードカッターの他側半円部を収容する袋状の第二の収容体と、該第一の収容体にブレードカッターの片側半円部を収容し該第二の収容体にブレードカッターの他側半円部を収容して閉塞した状態で、該第一の収容体と該第二の収容体とを締結する締結体とを備える梱包材である。
【０００７】
好ましくは、該第一の収容体と該第二の収容体はダンボールで構成される。該締結体は、該第一の収容体と該第二の収容体とに巻掛ける締結バンド、又は該第一の収容体と該第二の収容体との閉塞部に貼着する締結テープであるのが好適である。
【発明の効果】
【０００８】
本発明が提供する梱包材においては、ブレードカッターの片側半円部を収容する袋状の第一の収容体と、ブレードカッターの他側半円部を収容する袋状の第二の収容体と、該第一の収容体にブレードカッターの片側半円部を収容し該第二の収容体にブレードカッターの他側半円部を収容して閉塞した状態で、該第一の収容体と該第二の収容体とを締結する締結体とを備えるので、比較的大型のブレードカッターでも作業者が１人で容易に梱包することができ、したがって梱包の時間が短縮され生産性が向上する。
【図面の簡単な説明】
【０００９】
【図１】ブレードカッターの平面図。
【図２】本発明に従って構成された梱包材の第一の収容体及び第二の収容体の平面図。
【図３】図１に示すブレードカッターを図２に示す梱包材で梱包している状態を示す平面図。
【発明を実施するための形態】
【００１０】
以下、本発明に従って構成された梱包材の実施形態について図面を参照しつつ説明する。
【００１１】
図１には、道路、鉄骨、コンクリート等を切断する比較的大型（たとえば直径８０ｃｍ）のブレードカッター２が示されている。ブレードカッター２は、円盤状の基板４と、基板４の外周に形成された切り刃６とを備える。基板４の中央部には、駆動機の回転軸（図示していない。）に装着される円形の装着口８が形成されている。
【００１２】
図２には、ブレードカッター２を梱包するための梱包材１０が示されている。梱包材１０は、ブレードカッター２の片側半円部を収容する袋状の第一の収容体１２と、ブレードカッター２の他側半円部を収容する袋状の第二の収容体１４と、第一の収容体１２と第二の収容体１４とを締結する締結体１６（図３参照。）とを備える。第一の収容体１２と第二の収容体１４はダンボールで構成されるのが好ましい。
【００１３】
図示の実施形態では図２に示すとおり、第一の収容体１２は、たとえば半径４０ｃｍ程度の半円状の片側板部材１８と、他側板部材２０とから構成されている。他側板部材２０は、たとえば半径４０ｃｍ程度の半円状の主部２２と、主部２２の円弧状周縁部から周方向に間隔をおいて径方向外方に突出する複数個の矩形状の折り返し片２４とを有する。そして第一の収容体１２は、片側板部材１８と他側板部材２０とを重ね、折り返し片２４を片側板部材１８の外面に向かって折り返し、片側板部材１８の外面と折り返し片２４の内面とを固着することによって形成されている。片側板部材１８の内面と他側板部材２０の内面との間に半円状の収容部が形成されている第一の収容体１２は、複数個の折り返し片２４により円弧状周縁部が閉塞され、直線状周縁部が開放されている。
【００１４】
図示の実施形態では図２に示すとおり、第二の収容体１４は、第一の収容体１２と同様に、たとえば半径４０ｃｍ程度の半円状の片側板部材２６と、他側板部材２８とから構成されている。他側板部材２８は、たとえば半径４０ｃｍ程度の半円状の主部３０と、主部３０の円弧状周縁部から周方向に間隔をおいて径方向外方に突出する複数個の矩形状の折り返し片３２とを有する。そして第二の収容体１４は、片側板部材２６と他側板部材２８とを重ね、折り返し片３２を片側板部材２６の外面に向かって折り返し、片側板部材２６の外面と折り返し片３２の内面とを固着することによって形成されている。片側板部材２６の内面と他側板部材２８の内面との間に半円状の収容部が形成されている第二の収容体１４は、複数個の折り返し片３２により円弧状周縁部が閉塞され、直線状周縁部が開放されている。
【００１５】
ブレードカッター２を梱包材１０で梱包する際は、図３（ａ）に示すとおり、まず、ブレードカッター２の片側半円部を第一の収容体１２に収容する。この際は、第一の収容体１２の片側板部材１８の内面と他側板部材２０の内面との間の収容部に向かって、開放された直線状周縁部からブレードカッター２を挿入する。次いで図３（ｂ）に示すとおり、ブレードカッター２の他側半円部を第二の収容体１４に収容する。この際は、第二の収容体１４の片側板部材２６の内面と他側板部材２８の内面との間の収容部を、開放された直線状周縁部からブレードカッター２に挿入する。次いで図３（ｃ）に示すとおり、ブレードカッター２の片側半円部を第一の収容体１２に収容しブレードカッター２の他側半円部を第二の収容体１４に収容して閉塞した状態で、締結体１６により第一の収容体１２と第二の収容体１４とを締結する。図示の実施形態では、締結体１６は、第一の収容体１２と第二の収容体１４とに巻掛ける複数本の締結バンドから構成されている。なお、締結体１６は、第一の収容体１２と第二の収容体１４との閉塞部（すなわち、第一の収容体１２の直線状周縁部と第二の収容体１４の直線状周縁部とが互いに当接している部分）に貼着する締結テープ（粘着テープ）であってもよい。以上のとおり梱包材１０においては、比較的大型のブレードカッター２でも作業者が１人で容易に梱包することができ、したがって梱包の時間が短縮され生産性が向上する。
【符号の説明】
【００１６】
２：ブレードカッター
４：基板
６：切り刃
１０：梱包材
１２：第一の収容体
１４：第二の収容体
１６：締結体
【図１】
2018027810.tif 000003
【図２】
2018027810.tif 000004
【図３】
2018027810.tif 000005